(57)【特許請求の範囲】
【請求項１】
サービスの予約を申請する移動体予約申請装置と、
前記移動体予約申請装置の申請に応じて予約を受理する予約受理装置とを有する予約システムであって、
前記移動体予約申請装置は、
前記移動体予約申請装置の位置の識別情報を取得する位置取得手段と、
前記移動体予約申請装置の前記位置における時刻を取得する時刻取得手段と、
前記サービスを、所定の位置および所定の時間に関連付けて記録するサービス記録手段と、
前記位置取得手段により取得した前記識別情報に応じた位置および前記時刻取得手段の取得した時刻が、前記サービス記録手段に記録された前記所定の位置および前記所定の時間と合致した場合に、近距離無線通信または基地局を介した通信により前記サービス記録手段に記録された前記サービスの予約を申請する予約申請手段とを有する携帯電話装置であり、
前記予約受理装置は、前記予約申請手段により申請されたサービスを受理する予約受理手段を有し、
前記位置取得手段は、前記所定の位置に設けられた近距離無線装置から、前記識別情報を取得し、
前記移動体予約申請装置は、前記近距離無線装置を介して前記予約受理装置を利用可能か否かを識別し、利用可能である場合に、前記近距離無線装置を介して前記サービスの予約を申請する、
ことを特徴とする予約システム。
【請求項２】
請求項１に記載の予約システムであって、
前記近距離無線装置は、駅に固定された自動改札装置であり、
前記位置取得手段は、前記自動改札装置から、前記予約申請装置の位置の識別情報を取得する非接触ＩＣカード機能である予約システム。
【請求項３】
請求項１または２に記載の予約システムであって、
前記予約申請装置は、前記予約受理手段による予約結果を表示する予約結果表示手段を有する、
ことを特徴とする予約システム。
【発明の詳細な説明】
【０００１】
【発明の属する技術分野】
本発明は、携帯電話およびＩＣカードを使用した予約に関する。
【０００２】
【従来の技術】
近年、近接距離での無線通信が可能な非接触ＩＣカードを定期券や電子切符として利用しようという実験が各方面で進められている。香港などでは実用化されており、日本でもＪＲ東日本が導入を決定している。
【０００３】
一方、パソコンや携帯電話を利用したネットワーク経由の切符の購買システムも始まりつつある。
【０００４】
また、鉄道のような交通手段（例、新幹線（登録商標））を利用する際に、確実に着席したい場合がある。この場合は指定席を予約することになる。指定席を予約する場合は、事前に乗車する列車を、時刻を含めて決定した上で指定席を予約する必要がある。よって、予約時に利用する列車と座席が決定される。
【０００５】
【発明が解決しようとする課題】
しかしながら、予約時に決定された利用する列車と座席を、利用者が利用しない場合がある。
【０００６】
例えば、予約後に利用者の都合で列車を変更したい場合がある。このような場合は、一旦予約をキャンセルし再予約を行なう必要がある。利用者にとって、このような作業を強いられるのは面倒である。さらに、利用者が列車に乗り遅れる場合もある。この場合は、指定席が空いたまま運行することになるので、列車を運行する事業者にとっては効率が良くない。
【０００７】
上記のように、予約時に利用する列車と座席を決定することは、利用者および事業者にとって不利益になることがある。すなわち、予約時に決定された利用する列車と座席を、利用者が利用しないことに対応しにくい。このような問題は、列車に限ったことではなく、定員のあるサービスを利用する場合には生じることである。
【０００８】
そこで、本発明は、サービスを予約する時点で決定された利用するサービスを利用者が利用しないことを防止する予約装置等を提供することを課題とする。
【０００９】
【課題を解決するための手段】
本発明は予約システムに関する。本発明にかかる予約システムは、移動体予約申請装置および予約受理装置を有する。
【００１０】
移動体予約申請装置はサービスの予約を申請する。移動体予約申請装置は、サービス記録手段、位置取得手段、時刻取得手段、予約申請手段を有する。
【００１１】
サービス記録手段は、サービスを、所定の位置および時間に関連付けて記録する。位置取得手段は、移動体予約申請装置の位置の識別情報を取得する。時刻取得手段は、移動体予約申請装置の位置における時刻を取得する。予約申請手段は、位置取得手段が取得した識別情報に応じた位置および時刻取得手段の取得した時刻が、サービス記録手段に記録された所定の位置および所定の時間と合致した場合に、近距離無線通信または基地局を介した通信によりサービス記録手段に記録されたサービスの予約を申請する。
【００１２】
予約受理装置は、移動体予約申請装置の申請に応じて予約を受理する。予約受理装置は予約受理手段を有する。予約受理手段は、予約申請手段により申請されたサービスを受理する。
【００１３】
上記のように構成された発明によれば、サービス記録手段に記録された位置および時間が、ユーザがサービスを受けることを希望する位置および時間に相当する。ここで、位置取得手段の取得した移動体予約申請装置の位置および時刻取得手段の取得した時刻が、サービス記録手段に記録された位置および時間に合致するということは、移動体予約申請装置を携帯するユーザが実際にサービスを受けることを希望する位置および時間にサービスを受けに現れたということになる。そこで、かかる場合に予約の申請を行なえば、予約成立の際にはユーザがサービスを確実に受けることになる。したがって、サービスを予約する時点で決定された利用するサービスを利用者が確実に利用することになる。
【００１４】
【発明の実施の形態】
以下、本発明の実施の形態を図面を参照して説明する。なお、列車の予約を例にとって本発明の実施の形態を説明するが、本発明はサービスの予約（遊園地や映画館の予約等）に適用できるものである。
【００１５】
第一の実施形態
図１は、第一の実施形態にかかる予約システムのおおまかな構成を示すブロック図である。予約システムは、予約申請装置１０、予約受理装置２０、自動改札装置（あるいは固定短距離無線装置）３０、基地局４０を備える。
【００１６】
予約申請装置１０は、自動改札装置３０から所定の距離の範囲内に入ると、自動改札装置３０から位置情報（例えば、駅名情報、駅への入場を示す情報）を受ける。そして、所定の条件の下、基地局４０を介して予約受理装置２０に予約を申請する。すなわち、予約に関するデータを送信する。さらに、予約受理装置２０から基地局４０を介して予約結果を受信して表示する。なお、予約申請装置１０は、ユーザが携帯するものとする。また、予約申請装置１０は、自動改札装置３０を通過するためのいわゆる電子切符に相当するものである。
【００１７】
予約申請装置１０と自動改札装置３０とはBluetooth（登録商標）あるいはIrDAなどの近距離無線通信方式を用いて通信を行なう。また、予約申請装置１０と予約受理装置２０とは携帯電話の機能を用いて通信を行なう。
【００１８】
予約受理装置２０は、基地局４０を介して、予約申請装置１０から予約の申請を受理する。すなわち、予約の申請に関するデータを受信する。さらに、予約受理装置２０は、基地局４０を介して、予約申請装置１０に予約結果を送信する。
【００１９】
自動改札装置３０は、予約申請装置１０が自動改札装置３０から所定の距離Ｒ以内に入ったときに、予約申請装置１０に位置情報を送信する。なお、自動改札装置３０は、固定短距離無線装置であってもよい。自動改札装置（固定短距離無線装置）３０は、予約申請装置１０のユーザが列車に乗車する駅（列車に乗車させるというサービスを提供する位置である）に固定され、予約申請装置１０との間でBluetooth（登録商標）あるいはIrDAなどによる短距離通信が可能である。
【００２０】
基地局４０は、予約申請装置１０および予約受理装置２０の通信を中継する基地局である。
【００２１】
図２は、予約申請装置１０を携帯電話１００および非接触ＩＣカード２００により実現した場合のハードウェアブロック図である。
【００２２】
予約申請装置１０は、携帯電話１００、非接触ＩＣカード２００、携帯電話・ＩＣカード間通信インタフェース３００を備える。なお、携帯電話１００と非接触ＩＣカード２００とは、一つの筐体内に収容され一体化されていてもよい。あるいは、携帯電話１００と非接触ＩＣカード２００とは分離可能であり、適宜お互いに接続できるようにしてもよい。
【００２３】
携帯電話１００は、アンテナ１０２、アンテナ共用器１０４、変調器１０６、復調器１０８、制御部１１０、時計１１２、メモリ１１４、表示装置１１６、スピーカ１２２、マイク１２４、ＬＥＤ（Light Emitted Diode）１２６、バイブレータ１２８を備える。
【００２４】
アンテナ１０２は、基地局４０への送信信号を送信し、基地局４０からの受信信号を受信するためのアンテナである。アンテナ共用器１０４は、アンテナ１０２を介して受信した受信信号を復調器１０８に、変調器１０６から出力された送信信号をアンテナ１０２に出力する。変調器１０６は、制御部１１０から出力された送信信号をアンテナ共用器１０４に出力する。復調器１０８は、アンテナ共用器１０４から出力された受信信号を復調して制御部１１０に出力する。
【００２５】
制御部１１０は、ＣＰＵ１１０ａ、外部インタフェース１１０ｂを有する。ＣＰＵ１１０ａは、時計１１２、メモリ１１４、表示装置１１６、スピーカ１２２、マイク１２４、ＬＥＤ１２６およびバイブレータ１２８を制御する。外部インタフェース１１０ｂは、ＣＰＵ１１０ａと、スピーカ１２２、マイク１２４、ＬＥＤ１２６およびバイブレータ１２８とを接続するインタフェースである。なお、ＣＰＵ１１０ａと、時計１１２、メモリ１１４および表示装置１１６とはバスにより接続されている。
【００２６】
制御部１１０は、時計１１２を制御し、時計１１２から現在の時刻を取得する。また、制御部１１０はさらに、メモリ１１４からデータおよびプログラムを読出し、書き込みを行なう。制御部１１０は、表示装置１１６に表示内容を書き込む。そして、制御部１１０は、変調器１０６に送信信号を送り、復調器１０８から受信信号を受ける。
【００２７】
時計１１２は現在の時刻を計測する。メモリ１１４はデータおよびプログラムを記録する。表示装置１１６は、書き込まれた表示内容を表示する。
【００２８】
スピーカ１２２は音声を発し、マイク１２４は音声を受ける。ＬＥＤ１２６は所定の条件の下で発光し、バイブレータ１２８は所定の条件の下で振動する。
【００２９】
非接触ＩＣカード２００は、近接通信用アンテナ２０１、通信装置２０２、メモリ２０３、制御部２０４を備える。非接触ＩＣカード２００は、自動改札装置３０を通過するためのいわゆる電子切符に相当するものである。
【００３０】
近接通信用アンテナ２０１は、自動改札装置（あるいは固定短距離無線装置）３０との通信用のアンテナである。すなわち、自動改札装置３０への送信信号を送信し、自動改札装置３０からの受信信号を受信するためのアンテナである。
【００３１】
通信装置２０２は、近接通信用アンテナ２０１に送信信号を送り、近接通信用アンテナ２０１からの受信信号を受ける。
【００３２】
メモリ２０３は、データおよびプログラムを記録する。制御部２０４は通信装置２０２に送信信号を送り、通信装置２０２から受信信号を受ける。また、制御部２０４は、外部インタフェース２０４ａを介して、メモリ２０３と結合されている。制御部２０４はメモリ２０３からデータおよびプログラムを読出し、書き込みを行なう。
【００３３】
携帯電話・ＩＣカード間通信インタフェース３００は、携帯電話１００の制御部１１０と非接触ＩＣカード２００の制御部２０４とを接続するインタフェースである。
【００３４】
図３は、第一の実施形態にかかる予約システムの機能ブロック図である。予約システムは、予約申請装置１０、予約受理装置２０、自動改札装置（あるいは固定短距離無線装置）３０を備える。基地局４０は図示省略してある。
【００３５】
予約申請装置１０は、申請サービス記録部１２、位置取得部１４、時計（時刻取得手段）１６、予約申請部１８、予約結果表示部１９を備える。
【００３６】
申請サービス記録部１２は、予約の申請を行なうサービスを、予約申請装置１０の位置および当該位置に予約申請装置１０が到達する時間に関連付けて記録する。申請サービス記録部１２は、メモリ１１４に相当する。ここでは、予約の申請を行なうサービスを列車の座席指定として、申請サービス記録部１２の記録内容の一例を図４に示す。
【００３７】
図４の一行目において、区間は「東京駅−新大阪駅」（東京駅から新大阪駅まで乗車の意味）、日時（時間に相当）「2001年8月10日  10時−20時」、サービス「新幹線ひかり（登録商標）号グリーン車」と記録されている。これは、予約申請装置１０が、「東京駅あるいはその付近の駅（という位置）」に、「2001年8月10日の10時から20時」までに到達するならば、「東京駅から新大阪駅まで新幹線ひかり（登録商標）号グリーン車の座席に着席するというサービスを予約する」ことを意味している。なお、東京駅付近の駅といった場合、どの程度近ければ該当するかは、前もって定めておくことが好ましい。
【００３８】
図４の二行目も同様であり、予約申請装置１０が、「新宿駅あるいはその付近の駅（という位置）」に、「2001年5月5日から2002年5月4日」までに到達するならば、「新宿駅から小田原駅までロマンスカー（登録商標）の座席に着席するというサービスを予約する」ことを意味している。
【００３９】
図４に示すように、「日時」は範囲指定できる。例えば、一度限りの予約、決まった時間帯のみの予約、一定期間予約し続けるなどといった指定が可能である。なお、サービスの指定において、列車名や座席種別を指定するのは、同一区間に複数の路線がある場合や、特急と急行等の複数の列車種別がある場合や、グリーン車や禁煙／喫煙車の座席種別などがある場合に乗りたい列車座席に種類を指定するためである。また、区間の始点あるいはその付近が位置に相当する。
【００４０】
位置取得部１４は、自動改札装置３０から位置情報を取得する。位置情報は、例えば、自動改札装置３０の設置されている駅名および駅への入場を示す情報である。なお、位置取得部１４は自動改札装置３０に近接した場合にのみ自動改札装置３０から位置情報を取得する。これにより、自動改札装置３０の設置されている駅名等が、予約申請装置１０の位置する場所ということになる。位置取得部１４は、制御部１１０、非接触ＩＣカード２００、携帯電話・ＩＣカード間通信インタフェース３００に相当する。
【００４１】
時計１６は時刻を取得する。時計１６は時計１１２に相当する。
【００４２】
予約申請部１８は、位置取得部１４の取得した予約申請装置１０の位置および時計１６の取得した時刻が、申請サービス記録部１２に記録された位置および時間に合致した場合に、申請サービス記録部に記録された申請するサービスの予約を予約受理装置２０に対して申請する。すなわち、予約を要求するデータを送信する。予約申請部１８は、アンテナ１０２、アンテナ共用器１０４、変調器１０６、制御部１１０に相当する。
【００４３】
申請サービス記録部１２の記録内容が図４に示すようなものとして予約申請部１８の動作の例を示す。
【００４４】
例えば、予約申請装置１０が、東京駅あるいは付近の駅（例、大手町駅）に設置された自動改札装置３０に、2001年8月10日15時に近接したとする。すると、位置取得部１４の取得した予約申請装置１０の位置（東京駅、大手町駅）および時計１６の取得した時刻（2001年8月10日15時）が、申請サービス記録部１２に記録された位置（区間の始点である東京駅あるいは付近の駅）および時間（2001年8月10日  10時−20時）に合致している。そこで、予約申請部１８は予約受理装置２０に対して「新幹線ひかり（登録商標）号グリーン車の座席に着席するというサービスを予約する」ことを申請する。
【００４５】
例えば、予約申請装置１０が、仙台駅に設置された自動改札装置３０に、2001年8月10日15時に近接したとする。すると、位置取得部１４の取得した予約申請装置１０の位置（仙台駅）が、申請サービス記録部１２に記録された位置（区間の始点である東京駅あるいは付近の駅）に合致しない。そこで、予約申請部１８は予約受理装置２０に対して予約の申請を行なわない。
【００４６】
例えば、予約申請装置１０が、東京駅に設置された自動改札装置３０に、2001年8月10日22時に近接したとする。すると、時計１６の取得した時刻（2001年8月10日22時）が、申請サービス記録部１２に記録された時間（2001年8月10日  10時−20時）に合致しない。そこで、予約申請部１８は予約受理装置２０に対して予約の申請を行なわない。
【００４７】
予約結果表示部１９は、予約受理装置２０から送信された予約結果を表示する。予約結果表示部１９は、アンテナ１０２、アンテナ共用器１０４、復調器１０８、制御部１１０、表示装置１１６に相当する。
【００４８】
予約結果表示部１９の一例を図５に示す。指定席に関する通常の情報が表示されている。ここで、ユーザは表示された指定席に満足すれば、指定席に着席する意思があることの確認を予約受理装置２０に送信する。なお、満席であり予約ができないような場合は、指定席の予約が不可能である旨のメッセージを表示してもよい。さらに、自由席への乗車を勧めるメッセージを表示させてもよい。
【００４９】
予約受理装置２０は、予約受理部２２、サービス予約情報記録部２４を備える。
【００５０】
予約受理部２２は、予約申請部１８からの予約の申請を受理する。すなわち、予約申請部１８から送信された予約を要求するデータを受信する。予約受理部２２は、さらにサービス予約情報記録部２４の記録内容を参照し、予約可能であれば予約する。予約の際には、申請のあった時刻の直近の時刻に発車する列車を予約してもよいし、申請のあった時刻にｎ分後（ｎは任意の正数）以降の最先の時刻に発車する列車を予約してもよい。そして、予約結果（予約不能の際はメッセージ）を送信する。
【００５１】
サービス予約情報記録部２４は、サービスの予約状況を記録する。
【００５２】
自動改札装置３０は、位置取得部１４が近接した場合にのみ位置情報を位置取得部１４に送信する。位置情報は、例えば、自動改札装置３０の設置されている駅名および駅への入場を示す情報である。なお、自動改札装置３０は、予約申請装置１０の正当性のチェックと課金とを行なうが、本発明とは特に関係がないため詳細な説明は行なわない。また、自動改札装置３０のかわりに、固定短距離無線装置であってもよい。
【００５３】
次に、第一の実施形態の実施形態の動作を図６のフローチャートを参照して説明する。
【００５４】
まず、予約申請装置１０の申請サービス記録部１２にユーザが利用すること希望するサービスである申請サービスを位置、時刻と関連付けて記録する（Ｓ１１）。例えば、ユーザが入力すればよい。
【００５５】
そして、ユーザが予約申請装置１０を携帯し、自動改札装置（固定短距離無線装置）３０を通過したとする。すると、自動改札装置３０は位置情報を位置取得部１４に送信する（Ｓ３２）。位置取得部１４は、位置情報を受信し、予約申請装置１０の位置を取得する（Ｓ１２）。そして、時計１６により時刻を取得する（Ｓ１３）。ここで、予約申請部１８は、位置取得部１４の取得した予約申請装置１０の位置および時計１６の取得した時刻が、申請サービス記録部１２に記録された位置および時間に合致しているか否かを判定する（Ｓ１４）。合致していなければ（Ｓ１４、Ｎｏ）、予約の申請を行なわず、また予約申請装置１０がいつか自動改札装置（固定短距離無線装置）３０を通過して位置情報を受信し、予約申請装置１０の位置を取得する（Ｓ１２）まで待機する。
【００５６】
位置取得部１４の取得した予約申請装置１０の位置および時計１６の取得した時刻が、申請サービス記録部１２に記録された位置および時間に合致していれば（Ｓ１４、Ｙｅｓ）、予約申請部１８が予約の申請を行なう（Ｓ１５）。なお、この工程の前の任意の時点で予約申請装置１０と予約受理装置２０との接続を確立しておくことが好ましい。そして、予約受理装置２０の予約受理部２２が予約の申請を受理する（Ｓ２５）。予約受理部２２はサービス予約情報記録部２４の記録内容を参照し予約可能であれば予約する。その後、予約結果（予約不能の際はメッセージ）を送信する（Ｓ２６）。予約申請装置１０の予約結果表示部１９は予約結果（予約不能の際はメッセージ）を表示する（Ｓ１６）。ユーザは表示内容を見て満足すれば、指定席に着席する意思があることの確認を予約受理装置２０に送信する（Ｓ１７）。そして、予約受理装置２０における予約が確定する（Ｓ２７）。
【００５７】
第一の実施形態によれば、申請サービス記録部１２に記録された位置および時間が、ユーザが列車に乗車することを希望する位置および時間に相当する。ここで、位置取得部１４の取得した予約申請装置１０の位置および時計１６の取得した時刻が、申請サービス記録部１２に記録された位置および時間に合致するということは、予約申請装置１０を携帯するユーザが実際に列車に乗車することを希望する位置および時間に列車に乗車しに現れたということになる。そこで、かかる場合に予約の申請を行なえば、予約成立の際にはユーザが確実に列車に乗車することになる。したがって、予約する時点で決定された列車を利用者が確実に利用することになる。
【００５８】
よって、ユーザは事前に乗車する列車を確定せずとも指定席を利用することができる。
【００５９】
また、鉄道を運営する事業者は、指定席を予約したまま乗車できなくなるユーザがいなくなるため、本来使用できたはずの座席が空いたまま列車を運行させずにすむ。
【００６０】
しかも、事業者が、全席着席の列車で、いわゆる「早い者勝ち」のような乗車をさせたい場合は、駅に早く入場したユーザから順に座席を割当てるという新たなサービスが可能となる。
【００６１】
なお、本発明はサービスの予約（遊園地や映画館の予約等）に適用できるものである。例えば、自動改札装置（固定短距離無線装置）３０を遊園地や映画館に固定しておき、申請サービス記録部１２に遊園地や映画館を利用したい位置や時間を記録しておけば、サービスの予約（遊園地や映画館の予約等）に適用できる。
【００６２】
第二の実施形態
第二の実施形態は、予約受理装置２０が固定短距離無線装置２６を備えた点で、予約受理装置２０と固定短距離無線装置３０とが別々である第一の実施形態と異なる。
【００６３】
図７は、第二の実施形態にかかる予約システムのおおまかな構成を示すブロック図である。予約システムは、予約申請装置１０、予約受理装置２０を備える。
【００６４】
予約申請装置１０は、予約受理装置２０から所定の距離Ｒの範囲内に入ると、予約受理装置２０から位置情報（例えば、駅名情報、駅への入場を示す情報）を受ける。そして、所定の条件の下、予約受理装置２０に予約を申請する。さらに、予約受理装置２０から予約結果を受信して表示する。なお、予約申請装置１０は、ユーザが携帯するものとする。
【００６５】
予約申請装置１０と予約受理装置２０とは非接触ＩＣカードに用いられる通信方式やBluetooth（登録商標）あるいはIrDAなどの近距離無線通信方式を用いて通信を行なう。
【００６６】
予約受理装置２０は、予約申請装置１０から予約の申請を受理する。さらに、予約受理装置２０は、予約申請装置１０に予約結果を送信する。予約受理装置２０は、予約申請装置１０のユーザが列車に乗車する駅に固定され、予約申請装置１０との間で短距離通信が可能である。
【００６７】
予約申請装置１０を携帯電話１００および非接触ＩＣカード２００により実現した場合の構成は第一の実施形態（図２参照）と同様である。ただし、アンテナ１０２および近接通信用アンテナ２０１は、予約受理装置２０への送信信号を送信し、予約受理装置２０からの受信信号を受信するためのアンテナである。
【００６８】
図８は、第二の実施形態にかかる予約システムの機能ブロック図である。予約システムは、予約申請装置１０、予約受理装置２０を備える。以下、第一の実施形態と同様な部分は同一の番号を付して説明を省略する。
【００６９】
予約申請装置１０は、第一の実施形態と同様である。ただし、位置取得部１４は予約受理装置２０の固定短距離無線装置２６から位置情報を取得する。
【００７０】
予約受理装置２０は、予約受理部２２、サービス予約情報記録部２４、固定短距離無線装置２６を備える。例えば、駅に固定された自動改札が予約受理装置２０も兼ねている場合にありうる。
【００７１】
予約受理部２２およびサービス予約情報記録部２４は第一の実施形態と同様である。
【００７２】
固定短距離無線装置２６は、位置取得部１４が近接した場合にのみ位置情報を位置取得部１４に送信する。位置情報は、例えば、予約受理装置２０の設置されている駅名および駅への入場を示す情報である。
【００７３】
次に、第二の実施形態の動作を図９のフローチャートを参照して説明する。
【００７４】
まず、予約申請装置１０の申請サービス記録部１２にユーザが利用すること希望するサービスである申請サービスを位置、時刻と関連付けて記録する（Ｓ１１）。例えば、ユーザが入力すればよい。
【００７５】
そして、ユーザが予約申請装置１０を携帯し、駅に固定されている予約受理装置２０を通過したとする。すると、予約受理装置２０は位置情報を位置取得部１４に送信する（Ｓ２２）。位置取得部１４は、位置情報を受信し、予約申請装置１０の位置を取得する（Ｓ１２）。これ以降の動作は第一の実施形態と同様である。
【００７６】
第二の実施形態によっても、第一の実施形態と同様な効果を奏する。
【００７７】
第一の実施形態においては、予約受理装置２０と固定短距離無線装置３０とが別々である。第二の実施形態においては、予約受理装置２０が固定短距離無線装置２６を備えている。そこで、列車の予約において、第一の実施形態と第二の実施形態とを併用することも可能である。
【００７８】
例えば、東京駅に固定短距離無線装置２６を備えた予約受理装置２０を設け（第二の実施形態）、大手町駅には予約受理装置２０とは別々の自動改札装置（固定短距離無線装置）３０を設ける（第一の実施形態）。
【００７９】
ここで、ユーザが予約申請装置１０を携帯して大手町駅に入場すれば第一の実施形態が用いられる。すなわち、大手町駅の自動改札装置（固定短距離無線装置）３０から位置情報を取得し、東京駅の予約受理装置２０に予約を申請する。また、東京駅に入場すれば第二の実施形態が用いられる。すなわち、東京駅の予約受理装置２０から位置情報を取得し、かつ予約を申請する。
【００８０】
このように、第一の実施形態と第二の実施形態とを使い分けるためには、固定短距離無線装置２６および自動改札装置（固定短距離無線装置）３０は位置取得部１４に、予約受理装置２０に含まれているか否かを示す信号を送信する。
【００８１】
すなわち、固定短距離無線装置２６は、位置取得部１４に、固定短距離無線装置２６が予約受理装置２０に含まれていることを示す信号（High）を送信する。自動改札装置（固定短距離無線装置）３０は、位置取得部１４に、自動改札装置（固定短距離無線装置）３０が予約受理装置２０に含まれておらず、予約受理装置２０とは別々であることを示す信号（Low）を送信する。なお、信号（High）は、固定短距離無線装置２６が含まれている装置が予約の受理をも行なえる高レベルの装置であることを示す。信号（Low）は、自動改札装置（固定短距離無線装置）３０が予約の受理を行なえない低レベルの装置であることを示す。
【００８２】
位置取得部１４がかかる信号を受信して予約申請部１８に送る。予約申請部１８は信号（High）を受ければ、近距離通信で予約の申請を行なう。予約申請部１８は信号（Low）を受ければ、基地局４０を介した通信で予約の申請を行なう。すなわち、予約申請装置１０が、固定短距離無線装置が予約受理装置２０に含まれているか否かを信号（HighまたはLow）により識別して予約の申請を行なう。
【００８３】
また、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分を実現するプログラムを記録したメディアを読み取らせて、ハードディスク、フラッシュメモリなどにインストールする。このような方法でも、上記の機能を実現できる。
【００８４】
【発明の効果】
本発明によれば、申請サービス記録手段に記録された位置および時間が、ユーザがサービスを受けることを希望する位置および時間に相当する。ここで、位置取得手段の取得した予約申請装置の位置および時刻取得手段の取得した時刻が、申請サービス記録手段に記録された位置および時間に合致するということは、予約申請装置を携帯するユーザが実際にサービスを受けることを希望する位置および時間にサービスを受けに現れたということになる。そこで、かかる場合に予約の申請を行なえば、予約成立の際にはユーザがサービスを確実に受けることになる。したがって、サービスを予約する時点で決定された利用するサービスを利用者が確実に利用することになる。
【図面の簡単な説明】
【図１】第一の実施形態にかかる予約システムのおおまかな構成を示すブロック図である。
【図２】予約申請装置１０を携帯電話１００および非接触ＩＣカード２００により実現した場合のハードウェアブロック図である。
【図３】第一の実施形態にかかる予約システムの機能ブロック図である。
【図４】申請サービス記録部１２の記録内容の一例を示す図である。
【図５】予約結果表示部１９の一例を示す図である。
【図６】第一の実施形態の実施形態の動作を示すフローチャートである。
【図７】第二の実施形態にかかる予約システムのおおまかな構成を示すブロック図である。
【図８】第二の実施形態にかかる予約システムの機能ブロック図である。
【図９】第二の実施形態の動作を示すフローチャートである。
【符号の説明】
１０  予約申請装置
１２  申請サービス記録部
１４  位置取得部
１６  時計（時刻取得手段）
１８  予約申請部
１９  予約結果表示部
２０  予約受理装置
２２  予約受理部
２４  サービス予約情報記録部
２６  固定短距離無線装置
３０  自動改札装置（固定短距離無線装置）
【図１】
0004420587.tif 000002
【図２】
0004420587.tif 000003
【図３】
0004420587.tif 000004
【図４】
0004420587.tif 000005
【図５】
0004420587.tif 000006
【図６】
0004420587.tif 000007
【図７】
0004420587.tif 000008
【図８】
0004420587.tif 000009
【図９】
0004420587.tif 000010